(57)【特許請求の範囲】
【請求項１】
界面活性剤と、シリコーンレジンとを含み、
前記シリコーンレジンは重量平均分子量が１０００以上であり、且つ、Ｍ単位（Ｒ1Ｒ2Ｒ3ＳｉＯ1/2）及びＱ単位（ＳｉＯ4/2）とからなり、
アルカリ金属オルガノシリコネートを含み、
前記界面活性剤は０．０１ｗｔ％以上１０．０ｗｔ％以下、
前記シリコーンレジンは０．１ｗｔ％以上３０．０ｗｔ％以下、
前記アルカリ金属オルガノシリコネートは１．０ｗｔ％以上３０．０ｗｔ％以下
で、配合されていることを特徴とする床用洗浄剤。
【発明の詳細な説明】
【技術分野】
【０００１】
本発明は、石材やセラミック製タイルを使用した床に使用する床用洗浄剤に関する。
【背景技術】
【０００２】
コンビニエンスストアやスーパーマーケット、ホテルや学校又は病院などでは、石材やセラミック製のタイルなどを用いた床が広く使用されている。このような石材やセラミック製のタイルを用いた床は磨き上げられ、平滑性の高いものとなっている場合が多い。そのため、雨天時など床面に水が付着していると、来客者が足を滑らせ転んでしまうおそれがあるといった問題があった。
【０００３】
このような問題を解決するために、従来、床面に微細な凹凸を形成し、床面の摩擦係数を高めるといったことが行われている。
【０００４】
このような床面に微細な凹凸を形成するものとしては、例えば、フッ化水素アンモニウム、中性フッ化アンモニウム、クエン酸、アルコール及び植物性粉体を含有し、床面に塗布すると、腐食作用により床面に微細な凹凸粗面が形成され、防滑効果を発揮する防滑剤が知られている（例えば、特許文献１参照。）
【０００５】
また、床用ガラスタイルであって、床面側に粒径粗さ６０〜１３０メッシュの金剛砂を圧縮空気により吹き付けＪＩＳＢ０６０１に準ずる表面粗さが４０〜１０μｍの範囲の凹凸を形成し、防滑性を発揮するものが知られている（例えば、特許文献２参照。）。
【先行技術文献】
【特許文献】
【０００６】
【特許文献１】特開２００８−２９７４２６号公報
【特許文献２】特開２００７−３０２５１６号公報
【発明の概要】
【発明が解決しようとする課題】
【０００７】
しかしながら、特許文献１及び特許文献２に記載の発明のように、防滑効果を発揮させるために床面に微細な凹凸を形成した場合、床面の光沢が失われ、美観が損なわれるといった問題がある。
また、微細な凹凸には汚れが付着しやすく、しかも微細な凹凸の奥に入り込んだ汚れは落とすのが難しいため、床が汚れやすくなるといった問題がある。
【０００８】
また、このような床用防滑剤は床面の洗浄の後に床用防滑剤を塗布する必要があるため、トータルの作業に時間がかかるといった問題がある。
【０００９】
本発明者は上記問題を解決すべく、試験研究を重ねた結果、シリコーンレジンが防滑に効果があることに着目し、シリコーンレジンを床用の洗浄剤に含有させることにより、洗浄と防滑の両方の効果が得られることを見出し、本発明を成すに至った。
【００１０】
本発明の目的とするところは、洗浄作業により、床面の洗浄とともに、床面の防滑性を高めることができる床用洗浄剤を提供することにある。
【課題を解決するための手段】
【００１１】
上記の課題を解決するため、本発明に係る床用洗浄剤は、界面活性剤と、シリコーンレジンとを含み、前記シリコーンレジンは重量平均分子量が１０００以上であり、且つ、Ｍ単位（Ｒ1Ｒ2Ｒ3ＳｉＯ1/2）及びＱ単位（ＳｉＯ4/2）とからなる（単位中のＲは疎水基である。）。
【００１２】
前記床用洗浄剤は、アルカリ金属オルガノシリコネートを含む。
【００１３】
また、前記界面活性剤の添加量は０．０１ｗｔ％以上１０．０ｗｔ％以下、前記シリコーンレジンの添加量は０．１ｗｔ％以上３０．０ｗｔ％以下、前記アルカリ金属オルガノシリコネートの添加量は１．０ｗｔ％以上３０．０ｗｔ％以下で、配合されていることが好ましい。さらに費用対効果を考慮すると、前記界面活性剤の添加量は０．１ｗｔ％以上５．０ｗｔ％以下、前記シリコーンレジンの添加量は０．１ｗｔ％以上５．０ｗｔ％以下、前記アルカリ金属オルガノシリコネートの添加量は１．０ｗｔ％以上５．０ｗｔ％以下で、配合されている。
【発明の効果】
【００１４】
本発明に係る床用洗浄剤は、界面活性剤と、シリコーンレジンとを含み、前記シリコーンレジンは重量平均分子量が１０００以上であり、且つ、Ｍ単位（Ｒ1Ｒ2Ｒ3ＳｉＯ1/2）及びＱ単位（ＳｉＯ4/2）とからなるので、界面活性剤により床面が洗浄され、そして、洗浄後の床面に重量平均分子量が１０００以上であり、且つ、Ｍ単位（Ｒ1Ｒ2Ｒ3ＳｉＯ1/2）及びＱ単位（ＳｉＯ4/2）とからなる前記シリコーンレジンが撥水性と防滑性を発揮する被膜を形成することができ、例えば、雨天時に濡れた床面を歩行する歩行者が転倒するといったリスクを軽減することができる。また、床面に微細な凹凸を形成しないので、床面の光沢を低下させず、その美観を損なうことがない。
また、洗浄作業だけで、床面の汚れ除去と防滑性の付与、両方の効果を得ることができ、防滑作業を別途に行う必要が無いので、その分作業が簡単になり、専門性も必要としない。
【００１５】
また、前記床用洗浄剤に、アルカリ金属オルガノシリコネートを含ませることにより、撥水効果を向上させるとともに防汚効果を得ることができる。
【００１６】
以上により、本発明に係る床用洗浄剤によれば、洗浄作業により、床面の洗浄とともに、床面の防滑性を高めることができる。
【発明を実施するための形態】
【００１７】
以下、本発明に係る床用洗浄剤を実施するための形態の一例を説明する。
【００１８】
先ず、本発明に係る床用洗浄剤の実施の形態の第１例を説明する。
第１例の床用洗浄剤は、界面活性剤と、シリコーンレジンとを含み、前記シリコーンレジンは重量平均分子量が１０００以上であり、且つ、Ｍ単位（Ｒ1Ｒ2Ｒ3ＳｉＯ1/2）及びＱ単位（ＳｉＯ4/2）とからなる（単位中のＲは疎水基である。）。
【００１９】
［界面活性剤］
第１例の床用洗浄剤に用いる界面活性剤は、陰イオン性界面活性剤、両性界面活性剤、非イオン性界面活性剤、陽イオン性界面活性剤等、通常使用されるものを用いることができる。
【００２０】
陰イオン性界面活性剤の例としては、アルキル硫酸塩、アルキルエーテル硫酸塩、ポリオキシエチレンアルキル硫酸塩、アルキルベンゼンスルホン酸塩、α‐オレフィンスルホン酸塩、スルホコハク酸エステル塩、ナフタレンスルホン酸塩、アシル化メチルタウリン塩、脂肪酸塩、エーテルカルボン酸塩、アシル化サルコシン塩、アルキルリン酸塩、等が挙げられ、対イオン（陽イオン）は、アルカリ金属イオン、アルカリ土類金属イオン、アルカノールアミンイオン、アンモニウムイオン等を挙げることができる。これらは単独で用いても良いし、２種類以上を混合して用いてもよい。
【００２１】
両性界面活性剤の例としては、塩化アルキルジアミノエチルグリシン、アルキルカルボキシベタイン、アルキルスルホベタイン、等を挙げることができる。これらは単独で用いても良いし、２種類以上を混合して用いてもよい。
【００２２】
非イオン性界面活性剤の例としては、ポリオキシエチレンアルキルエーテル、ポリオキシエチレンポリオキシプロピレンアルキルエーテル、ポリオキシエチレンアルキルフェニルエーテル、ポリオキシエチレンアルキルアミン、ポリオキシエチレンポリオキシプロピレンアルキルアミン、アルキルポリグルコシド、ポリオキシエチレン-ポリオキシプロピレンブロックポリマー、脂肪酸ポリグリセリンエステル、脂肪酸ショ糖エステル、脂肪酸アルカノールアミド、アルキルアミンオキサイド、アルキルアミドアミンオキサイド、等を挙げることができる。これらは単独で用いても良いし、２種類以上を混合して用いてもよい。
【００２３】
陽イオン性界面活性剤の例としては、アルキルトリメチルアンモニウム塩型カチオン界面活性剤、ジアルキルジメチルアンモニウム塩型カチオン界面活性剤等が挙げられる。さらに具体的には、塩化トリメチルパルミチルアンモニウム、塩化ジメチルアンモニウムジステアリル、塩化ラウリルジメチルベンジルアンモニウム、ジデシルジメチルアンモニウムアジペート、１，４−ビス（３，３´−（１−デシルピリジニウム）メチルオキシ）ブタンジブロマイド等を挙げることができる。これらは単独で用いても良いし、２種類以上を混合して用いてもよい。
【００２４】
また、界面活性剤の添加量は０．１ｗｔ％以上１０．０ｗｔ％以下が好ましい。さらに費用対効果を考慮すると、０．１ｗｔ％以上５．０ｗｔ％以下が好ましい。
【００２５】
［シリコーンレジン］
シリコーンレジンは重量平均分子量１０００以上の、いわゆるシリコンポリマーと呼ばれる高分子のシリコーンレジンを使用し、いわゆるシリコーンオリゴマーやシリコーンオイルと呼ばれる低分子のシリコーンレジンは本発明のシリコーンレジンには含まれない。さらに洗浄剤として安定した形態を維持する点で水分散エマルジョンタイプのシリコーンレジンが好ましい。
【００２６】
シリコーンレジンは、Ｍ単位（Ｒ1Ｒ2Ｒ3ＳｉＯ1/2）及びＱ単位（ＳｉＯ4/2）とからなるいわゆるＭＱレジンを使用している。なお、Ｍ単位中のＲはメチル基、エチル基、アルキル基やフェニル基等の疎水基である。ＭＱレジンとしては、例えばトリメチルシロキシケイ酸を用いることができる。このようなＭＱレジンを用いる事により、より撥水効果と防滑効果の高い被膜を床面に形成することができる。
【００２７】
また、シリコーンレジンの添加量は０．１ｗｔ％以上３０．０ｗｔ％以下が好ましい。さらに費用対効果を考慮すると、０．１ｗｔ％以上５．０ｗｔ％以下が好ましい。
【００２８】
また、第１例の床用洗浄剤には、洗浄目的に応じて溶剤、香料、染料、その他機能付与に関わる添加剤、等を適宜選定し、添加することができる。
【００２９】
第１例の床用洗浄剤は原液で使用しても良いし希釈して使用しても良い。また、希釈する場合には３００倍まで希釈して使用することができる。第１例の床用洗浄剤による床洗浄作業は、モップなどによる床拭き作業やブラシなどによる擦り作業、自動床洗浄機を用いた洗浄など、通常の床面清掃の範囲で行われる。
【００３０】
上記の通り構成された第１例の床用洗浄剤によれば、界面活性剤と、シリコーンレジンとを含み、前記シリコーンレジンは重量平均分子量が１０００以上であり、且つ、Ｍ単位（Ｒ1Ｒ2Ｒ3ＳｉＯ1/2）及びＱ単位（ＳｉＯ4/2）とからなるので、界面活性剤により床面が洗浄され、そして、洗浄後の床面に重量平均分子量が１０００以上であり、且つ、Ｍ単位（Ｒ1Ｒ2Ｒ3ＳｉＯ1/2）及びＱ単位（ＳｉＯ4/2）とからなるシリコーンレジンが撥水性と防滑性を発揮する被膜を形成することができ、例えば、雨天時に濡れた床面を歩行する歩行者が転倒するといったリスクを軽減することができる。また、床面に微細な凹凸を形成しないので、床面の光沢を低下させず、その美観を損なうことがない。
また、洗浄作業だけで、床面の汚れ除去と防滑性の付与、両方の効果を得ることができ、防滑作業を別途に行う必要が無いので、その分作業が簡単になり、専門性も必要としない。
【００３１】
本発明に係る床用洗浄剤の実施の形態の第２例を説明する。
第２例の床用洗浄剤と第１例の床用洗浄剤との違いは、第２例の床用洗浄剤は第１例の洗浄剤にアルカリ金属オルガノシリコネートを含ませたところにある。
【００３２】
アルカリ金属オルガノシリコネートの例としては、ナトリウムメチルシリコネート、カリウムメチルシリコネート、カリウムエチルシリコネート、カリウムプロピルシリコネート等を挙げることができる。
また、アルカリ金属オルガノシリコネートの添加量は１．０ｗｔ％以上３０．０ｗｔ％以下が好ましい。さらに費用対効果を考慮すると、１．０ｗｔ％以上５．０ｗｔ％以下が好ましい。
【００３３】
第２例の床用洗浄剤によれば、第１例の床用洗浄剤に、アルカリ金属オルガノシリコネートを含ませることにより、撥水効果を向上させるとともに防汚効果を得ることができる。
その他の効果は第１例と同様のため、説明を援用し、省略する。
【実施例】
【００３４】
本発明の実施例及び比較例を挙げて、本発明に係る床用洗浄剤の特徴について例証する。但し、本発明はこれらの実施例及び比較例によって何ら制限されるものではない。
【００３５】
実施例１〜８及び比較例１〜５
表１，２に示す組成の床用洗浄剤を調製し、その撥水性、防滑性、防汚性、洗浄剤外観を評価した。その結果を表３、４に示す。表中の数字はｗｔ％を示す。
【００３６】
［試験方法］
試験板の調製：実施例１〜８及び比較例１〜５に示すように調製された各床用洗浄剤サンプルを水道水で１００倍に希釈し、床用セラミックタイルを赤パッドで洗浄した。洗浄後、ウエットバキュームで洗浄汚水を回収した。この行程を１回／日、計７日間行ったものを試験板とした。
【００３７】
＊試験項目：撥水性
試験板に霧吹きで水を噴霧し、撥水状態の確認を目視で行った。
（評価）
◎：水滴状に水をはじいており、水滴がより球状に近い
○：水滴状に水をはじいている
△：一部水滴状に水をはじくが全体的に濡れている
×：湿潤状態で全く水をはじいていない
【００３８】
＊試験項目：防滑性
試験板に霧吹きで水を噴霧し、ゴム底の靴で摺足歩行を行い、滑りの有無・抵抗感を確認した。
（評価）
◎：強い滑り抵抗を感じ、滑らない
○：滑り抵抗が感じられ、滑りにくい
△：やや滑り抵抗が感じられるが、滑ることがある
×：滑り抵抗がなく、滑る
【００３９】
＊試験項目：防汚性
試験板にＪＩＳ  Ｌ  １０２１−１８に規定する標準汚れ物質を均一に撒き、タイル全面に対して２２４往復均等に歩行を行った。歩行を行ったタイルを流水で洗い流し、乾燥させて汚れの付着状態を目視にて確認した。
（評価）
◎：汚れの付着が見られない
○：僅かに汚れの付着が見られる
△：部分的に汚れの付着が見られる
×：全面に濃い汚れの付着が見られる
【００４０】
＊試験項目：洗浄剤外観
実施例１〜８及び比較例１〜５に示すように調製された各床用洗浄剤作成翌日の状態を目視にて確認した。
（評価）
○：濁りが無く透明
△：濁りが見られるが、分離・沈殿物の発生は見られない
×：液が分離、あるいは沈殿物が発生している
【００４１】
【表１】
0006714224.tif 000002
【００４２】
【表２】
0006714224.tif 000003
【００４３】
【表３】
0006714224.tif 000004
【００４４】
【表４】
0006714224.tif 000005
【００４５】
界面活性剤：ポリオキシアルキレンアルキルエーテル
シリコーンレジン（ＭＱレジン）：トリメチルシロキシケイ酸
アルカリ金属オルガノシリコネート：メチルケイ酸カリウム
【要約】
【課題】  洗浄作業により、床面の洗浄とともに、床面の防滑性を高めることができる床用洗浄剤を得る。
【解決手段】  床用洗浄剤として、界面活性剤と、シリコーンレジンとを含むものとし、シリコーンレジンについては、重量平均分子量が１０００以上であり、且つ、Ｍ単位（Ｒ1Ｒ2Ｒ3ＳｉＯ1/2）及びＱ単位（ＳｉＯ4/2）とからなる（単位中のＲは疎水基である。）ものとすることにより、撥水性及び防滑性を発揮する皮膜を形成するものとした。
【選択図】なし